【事件の表示】
　特許第３１５５７６８号「画像処理方法及び装置」の請求項１ないし４に係る特許に対する特許異議の申立てについて、次のとおり決定する。
【結　論】
　訂正を認める。
　特許第３１５５７６８号の請求項１ないし３に係る特許を維持する。
【理　由】
１．手続の経緯
　特許第３１５５７６８号に係る発明についての出願は、平成３年３月２０日の特許出願であって、平成１３年２月２日にその発明について特許の設定登録がなされ、その後、その特許請求の範囲における請求項１−４に係る発明について、異議申立人有限会社オフィスアテナ及び異議申立人渡辺等より特許異議の申立てがなされ、取消理由通知がなされ、その指定期間内である平成１４年３月１２日に訂正請求がなされたものである。
　　
２．訂正の適否について
（１）訂正の内容
　平成１４年３月１２日付けの訂正請求書による訂正事項は、
　ア．特許請求の範囲における請求項１の
　「【請求項１】カラーデータを画像処理デバイスの色再現範囲内に変換する画像処理方法であって、
　前記カラーデータの色相における前記画像処理デバイスの色再現範囲に応じた非線形変換であり、彩度が大きいほうが圧縮率が大きい非線形変換を用いて、前記カラーデータの彩度を変換することにより前記カラーデータを前記画像処理デバイスの色再現範囲内に変換することを特徴とする画像処理方法。」
を、
　「【請求項１】カラーデータを画像処理デバイスの色再現範囲内に変換する画像処理方法であって、
　前記カラーデータの色相における前記画像処理デバイスの色再現範囲に応じた非線形変換であり、彩度が大きいほうが圧縮率が大きい非線形変換であり、色再現範囲が小さい装置側の彩度の外縁までの距離と色再現範囲が広い装置側の彩度の外縁までの距離との比が小さい程非線形の度合いがきつくなり、前記カラーデータの明度に応じて非線形の度合いが異なる非線形変換を用いて、前記カラーデータの彩度を変換することにより前記カラーデータを前記画像処理デバイスの色再現範囲内に変換することを特徴とする画像処理方法。」
と訂正し、
　イ．特許請求の範囲における請求項２を削除し、　ウ．特許請求の範囲に於ける請求項４の
　「【請求項４】カラーデータを画像処理デバイスの色再現範囲内に変換する画像処理装置であって、
　前記カラーデータの色相における前記画像処理デバイスの色再現範囲に応じた非線形変換であり、彩度が大きいほうが圧縮率が大きい非線形変換を用いて、前記カラーデータの彩度を変換することにより前記カラーデータを前記画像処理デバイスの色再現範囲内に変換する変換手段と、
　前記変換されたカラーデータをハードコピー装置のシアン、マゼンタ、イエロー、ブラック色成分を示すデータに変換する色成分変換手段とを有することを特徴とする画像処理装置。」
を、
　「【請求項３】カラーデータを画像処理デバイスの色再現範囲内に変換する画像処理装置であって、
　前記カラーデータの色相における前記画像処理デバイスの色再現範囲に応じた非線形変換であり、彩度が大きいほうが圧縮率が大きい非線形変換であり、色再現範囲が小さい装置側の彩度の外縁までの距離と色再現範囲が広い装置側の彩度の外縁までの距離との比が小さい程非線形の度合いがきつくなり、前記カラーデータの明度に応じて非線形の度合いが異なる非線形変換を用いて、前記カラーデータの彩度を変換することにより前記カラーデータを前記画像処理デバイスの色再現範囲内に変換する変換手段と、
　前記変換されたカラーデータをハードコピー装置のシアン、マゼンタ、イエロー、ブラック色成分を示すデータに変換する色成分変換手段とを有することを特徴とする画像処理装置。」
と訂正するともに、特許時の請求項３を請求項２とし、
　エ．明瞭でない記載の釈明を目的として、明細書の段落番号【０００５】を、
　「【課題を解決するための手段】
　本発明は、カラーデータを画像処理デバイスの色再現範囲内に変換する画像処理方法であって、前記カラーデータの色相における前記画像処理デバイスの色再現範囲に応じた非線形変換であり、彩度が大きいほうが圧縮率が大きい非線形変換であり、色再現範囲が小さい装置側の彩度の外縁までの距離と色再現範囲が広い装置側の彩度の外縁までの距離との比が小さい程非線形の度合いがきつくなり、前記カラーデータの明度に応じて非線形の度合いが異なる非線形変換を用いて、前記カラーデータの彩度を変換することにより前記カラーデータを前記画像処理デバイスの色再現範囲内に変換するすることを特徴とする。」
と訂正し、
　オ．誤記の訂正を目的として、明細書の段落番号【００３４】における「【実施例】」を削除するものである。
　
（２）訂正の目的の適否、新規事項の有無及び拡張・変更の存否
　上記訂正事項ア．及びウ．は、願書に添付した明細書に記載された事項の範囲内において訂正するものであり、特許請求の範囲の減縮に該当し新規事項の追加に該当しない。
　上記訂正事項イ．は、特許請求の範囲における請求項２を削除するものであり、特許請求の範囲の減縮に該当し新規事項の追加に該当しない。
　上記訂正事項エ．は、願書に添付した明細書に記載された事項の範囲内において訂正するものであり、明瞭でない記載の釈明に該当し新規事項の追加に該当しない。
　上記訂正事項オ．は、明細書における誤記の削除であり、誤記の訂正に該当し新規事項の追加に該当しない。
　そして、上記訂正は、実質上特許請求の範囲を拡張し、変更するものでもない。
　
（３）以上のとおりであるから、上記訂正は、特許法第１２０条の４第２項及び同条第３項において準用する特許法第１２６条第２項から第４項までの規定に適合するので、当該訂正を認める。
　
３．特許異議の申立てについて
（１）異議申立人有限会社オフィスアテナの申立の理由の概要
　異議申立人有限会社オフィスアテナは、証拠として
（ａ）甲第１号証（特開昭６３−２５４８８９号公報）、
（ｂ）甲第２号証（実願昭６１−８９０３８号（実開昭６２−２０１５７１号）の願書に添付した明細書及び図面の内容を撮影したマイクロフィルム（昭和６２年１２月２２日特許庁発行）、
（ｃ）参考資料１（特公平７−４８８６９号公報）（特開昭６３−２５４８８９号公報）を提出し、
　本件請求項１に係る発明は、甲第１号証に記載された発明であるか、または甲第１号証に記載された発明に基いて当業者が容易に発明をすることができたものであるから、特許法第２９条第１項第３号、または特許法第２９条第２項の規定により特許を受けることができないものであるから、本件請求項１に係る発明の特許を取消すべき旨主張し、
　また、本件請求項２に係る発明は、甲第１号証に記載された発明に基いて当業者が容易に発明をすることができたものであり、特許法第２９条第２項の規定により特許を受けることができないものであるから、本件請求項２に係る発明の特許を取り消すべき旨主張し、
　また、本件請求項３に係る発明は、甲第１号証に記載された発明及び周知事項とに基いて当業者が容易に発明をすることができたものであり、特許法第２９条第２項の規定により特許を受けることができないものであるから、本件請求項３に係る発明の特許を取り消すべき旨主張し、
　そして、請求項４に係る発明は、甲第１号証に記載された発明と甲第２号証に記載された発明とに基いて当業者が容易に発明をすることができたものであり、特許法第２９条第２項の規定により特許を受けることができないものであるから、本件請求項４に係る発明の特許を取り消すべき旨主張している。
　　
（２）異議申立人渡辺等の申立の理由の概要
　異議申立人渡辺等は、証拠として
（ａ）甲第１号証（KONICA TECHNICAL REPORT，Vol.１，JAN.，１９８８，ｐｐ．９９−１０５）
（ｂ）甲第２号証（特開昭６３−２５４８８９号公報
（ｃ）甲第３号証（「インクジェットビデオプリンターとその画像処理」，社団法人電子通信学会発行，１９８５年６月１８日，ｐｐ．９３−９９）を提出し、
　本件請求項１−４に係る発明は、甲第１号証に記載された発明であるか、または甲第１号証乃至甲第３号証に記載された発明に基いて当業者が容易に発明をすることができたものであり、特許法第２９条第１項第３号の規定、または特許法第２９条第２項の規定により特許を受けることができないものであるから、本件請求項１−４に係る発明の特許を取り消すべき旨主張している。
　　　
（３）本件発明
　平成１４年３月１２日付けで提出された訂正明細書の請求項１−３に係る発明は、その特許請求の範囲の請求項１−３に記載された次のとおりのものである。
【請求項１】カラーデータを画像処理デバイスの色再現範囲内に変換する画像処理方法であって、
　前記カラーデータの色相における前記画像処理デバイスの色再現範囲に応じた非線形変換であり、彩度が大きいほうが圧縮率が大きい非線形変換であり、色再現範囲が小さい装置側の彩度の外縁までの距離と色再現範囲が広い装置側の彩度の外縁までの距離との比が小さい程非線形の度合いがきつくなり、前記カラーデータの明度に応じて非線形の度合いが異なる非線形変換を用いて、前記カラーデータの彩度を変換することにより前記カラーデータを前記画像処理デバイスの色再現範囲内に変換することを特徴とする画像処理方法。　　
　
【請求項２】前記非線形変換は、指数関数で示されることを特徴とする請求項１記載の画像処理方法
　　　
【請求項３】カラーデータを画像処理デバイスの色再現範囲内に変換する画像処理装置であって、
　前記カラーデータの色相における前記画像処理デバイスの色再現範囲に応じた非線形変換であり、彩度が大きいほうが圧縮率が大きい非線形変換であり、色再現範囲が小さい装置側の彩度の外縁までの距離と色再現範囲が広い装置側の彩度の外縁までの距離との比が小さい程非線形の度合いがきつくなり、前記カラーデータの明度に応じて非線形の度合いが異なる非線形変換を用いて、前記カラーデータの彩度を変換することにより前記カラーデータを前記画像処理デバイスの色再現範囲内に変換する変換手段と、
　前記変換されたカラーデータをハードコピー装置のシアン、マゼンタ、イエロー、ブラック色成分を示すデータに変換する色成分変換手段とを有することを特徴とする画像処理装置。
　
４．引用刊行物記載の発明
（１）当審が通知した取消理由に引用した刊行物１（特開昭６３−２５４８８９号公報）（異議申立人有限会社オフィスアテナが提出した甲第１号証、異議申立人渡辺等が提出した甲第２号証）には、
　色分解画像修正方法において、出力系の色再現範囲の方が入力系の色再現範囲より狭く、かつ、出力系の色再現範囲を越えるような色分解画像情報が入力したときには、これに対応した出力系の値をその出力表色系の無彩色方向に圧縮し、圧縮して得た値をその出力表色系の値として修正使用するようにし、これにより、色相を変化させることなく、彩度及び明度若しくはその片方のみを変更して代替目標値を算出するようにして、より自然に代替色修正データを得るようにした色分解画像修正方法が記載されている。
　　　　　　　　　　　　　　　　　　
（２）当審が通知した取消理由に引用した刊行物２（KONICA TECHNICAL REPORT，Vol.１，JAN.，１９８８，ｐｐ．９９−１０５）（異議申立人渡辺等が提出した甲第１号証）には、
　「一般には、これら色立体のサイズはまちまちで、表現使用とするものと色が出力媒体にない場合（出力側の方が小さい）は色の圧縮という問題がでてくる。（中略）現在迄の結論としては、色相は変えず、彩度・明度を高彩度部でより強く圧縮する、言わばＳ字カーブにするのが妥当と考えられるが、絵がらにより評価が変わってしまう問題点は階調圧縮と同じである。」（第１０３頁左欄第１〜９行）との記載がなされており、よって、刊行物２には、入力再現範囲を出力再現範囲に変換するとき、高彩度ほど彩度・明度をより強く圧縮するＳ字カーブの非線形変換を行うことが記載されている。
　　　
（３）当審が通知した取消理由に引用した刊行物３（実願昭６１−８９０３８号（実開昭６２−２０１５７１号）の願書に添付した明細書及び図面の内容を撮影したマイクロフィルム（昭和６２年１２月２２日特許庁発行）（異議申立人有限会社オフィスアテナが提出した甲第２号証））には、　シアン、マゼンタ、イエロー、各有彩色の他に黒色のインクを用いてカラー画像を再現すること、及びこのときに生じる色相ズレを防止することが記載されている。
　　　
（４）当審が通知した取消理由に引用した刊行物４（「インクジェットビデオプリンターとその画像処理」，社団法人電子通信学会発行，１９８５年６月１８日，ｐｐ．９３−９９）（異議申立人渡辺等が提出した甲第３号証）には、　　　　　
　「次に彩度についてだが同様にヒストグラムから色信号群を色相の不変を保って移動したり圧縮したりするのである。しかし、彩度の圧縮については実際的には、次のような画像によらない固定した非線型型圧縮カーブによる方法も考えられる。（ｆｉｇ．９）」（第９６頁左欄第２１〜２６行）との記載がなされており、よって、刊行物４には、色再現範囲の変更がある場合、彩度の圧縮については非線形変換を用いることが記載されている。
　　
５．対比・判断
　請求項１−３に係る発明と刊行物１乃至４に記載された発明とを対比すると、
　刊行物１乃至４に記載された発明はいずれも、請求項１−３に記載された発明の要件である「彩度が大きいほうが圧縮率が大きい非線形変換」であって、かつ、「色再現範囲が小さい装置側の彩度の外縁までの距離と色再現範囲が広い装置側の彩度の外縁までの距離との比が小さい程非線形の度合いがきつくなる非線形変換」であること及び「前記カラーデータの明度に応じて非線形の度合いが異なる非線形変換」であることについて開示しない。
　そして、請求項１−３に係る発明は、上記要件を有することにより、明細書記載の「彩度の低い部分から中間的な彩度までは彩度を保存しながら、彩度の高いところでも彩度のつぶれをおこさずに、彩度変化の自然な連続性を保つことが可能である。」という効果を奏するものであるから、請求項１−３に係る発明は、刊行物１乃至４に記載された発明であるとも、刊行物１乃至４に記載された発明に基いて当業者が容易に発明をすることができた発明であるともいえない。
　
６．むすび
　以上のとおりであるから、特許異議申立の理由及び証拠によっては、本件請求項１−３に係る発明の特許を取り消すことができない。
　また、他に本件請求項１−３に係る発明の特許を取り消すべき理由を発見しない。
　よって、結論のとおり決定する。
【異議決定日】
平成１４年３月２８日（２００２．３．２８）
【訂正の要旨】
訂正の要旨
▲１▼特許請求の範囲における請求項１の
　「【請求項１】カラーデータを画像処理デバイスの色再現範囲内に変換する画像処理方法であって、
　前記カラーデータの色相における前記画像処理デバイスの色再現範囲に応じた非線形変換であり、彩度が大きいほうが圧縮率が大きい非線形変換を用いて、前記カラーデータの彩度を変換することにより前記カラーデータを前記画像処理デバイスの色再現範囲内に変換することを特徴とする画像処理方法。」
を、
　「【請求項１】カラーデータを画像処理デバイスの色再現範囲内に変換する画像処理方法であって、
　前記カラーデータの色相における前記画像処理デバイスの色再現範囲に応じた非線形変換であり、彩度が大きいほうが圧縮率が大きい非線形変換であり、色再現範囲が小さい装置側の彩度の外縁までの距離と色再現範囲が広い装置側の彩度の外縁までの距離との比が小さい程非線形の度合いがきつくなり、前記カラーデータの明度に応じて非線形の度合いが異なる非線形変換を用いて、前記カラーデータの彩度を変換することにより前記カラーデータを前記画像処理デバイスの色再現範囲内に変換することを特徴とする画像処理方法。」
と訂正する。
▲２▼特許請求の範囲における請求項２を削除する。
▲３▼特許請求の範囲に於ける請求項４の
　「【請求項４】カラーデータを画像処理デバイスの色再現範囲内に変換する画像処理装置であって、
　前記カラーデータの色相における前記画像処理デバイスの色再現範囲に応じた非線形変換であり、彩度が大きいほうが圧縮率が大きい非線形変換を用いて、前記カラーデータの彩度を変換することにより前記カラーデータを前記画像処理デバイスの色再現範囲内に変換する変換手段と、
　前記変換されたカラーデータをハードコピー装置のシアン、マゼンタ、イエロー、ブラック色成分を示すデータに変換する色成分変換手段とを有することを特徴とする画像処理装置。」
を、
　「【請求項３】カラーデータを画像処理デバイスの色再現範囲内に変換する画像処理装置であって、
　前記カラーデータの色相における前記画像処理デバイスの色再現範囲に応じた非線形変換であり、彩度が大きいほうが圧縮率が大きい非線形変換であり、色再現範囲が小さい装置側の彩度の外縁までの距離と色再現範囲が広い装置側の彩度の外縁までの距離との比が小さい程非線形の度合いがきつくなり、前記カラーデータの明度に応じて非線形の度合いが異なる非線形変換を用いて、前記カラーデータの彩度を変換することにより前記カラーデータを前記画像処理デバイスの色再現範囲内に変換する変換手段と、
　前記変換されたカラーデータをハードコピー装置のシアン、マゼンタ、イエロー、ブラック色成分を示すデータに変換する色成分変換手段とを有することを特徴とする画像処理装置。」
と訂正する。
▲４▼特許時の請求項３を請求項２と番号替えする。
▲５▼明瞭でない記載の釈明を目的として、明細書の段落番号【０００５】を、
　「【課題を解決するための手段】
　本発明は、カラーデータを画像処理デバイスの色再現範囲内に変換する画像処理方法であって、前記カラーデータの色相における前記画像処理デバイスの色再現範囲に応じた非線形変換であり、彩度が大きいほうが圧縮率が大きい非線形変換であり、色再現範囲が小さい装置側の彩度の外縁までの距離と色再現範囲が広い装置側の彩度の外縁までの距離との比が小さい程非線形の度合いがきつくなり、前記カラーデータの明度に応じて非線形の度合いが異なる非線形変換を用いて、前記カラーデータの彩度を変換することにより前記カラーデータを前記画像処理デバイスの色再現範囲内に変換するすることを特徴とする。」
と訂正する。
▲６▼誤記の訂正を目的として、明細書の段落番号【００３４】における「【実施例】」を削除する。
（５４）【発明の名称】
画像処理方法及び装置
（５７）【特許請求の範囲】
　【請求項１】　カラーデータを画像処理デバイスの色再現範囲内に変換する画像処理方法であって、
　前記カラーデータの色相における前記画像処理デバイスの色再現範囲に応じた非線形変換であり、彩度が大きいほうが圧縮率が大きい非線形変換
であり、色再現範囲が小さい装置側の彩度の外縁までの距離と色再現範囲が広い装置側の彩度の外縁までの距離との比が小さい程非線性の度合いがきつくなり、前記カラーデータの明度に応じて非線形性の度合いが異なる非線形変換
　【請求項２】　前記非線形変換は指数関数で示されることを特徴とする請求項１記載の画像処理方法。
　【請求項３】　カラーデータをハードコピー装置の色再現範囲内に変換する画像処理装置であって、
　前記カラーデータの色相における前記画像処理デバイスの色再現範囲に応じた非線形変換であり、彩度が大きいほうが圧縮率が大きい非線形変換
であり、色再現範囲が小さい装置側の彩度の外縁までの距離と色再現範囲が広い装置側の彩度の外縁までの距離との比が小さい程非線性の度合いがきつくなり、前記カラーデータの明度に応じて非線形性の度合いが異なる非線形変換
　前記変換されたカラーデータをハードコピー装置のシアン、マゼンタ、イエロー、ブラック色成分を示すデータに変換する色成分変換手段とを有することを特徴とする画像処理装置。
【発明の詳細な説明】
　【０００１】
　【産業上の利用分野】
　本発明は画像処理方法及び装置、特に色再現領域が異なる画像処理デバイスの間で画像データの変換を可能とする画像処理方法及び装置に関するものである。
　【０００２】
　【従来の技術】
　従来では例えばＣＲＴ等のカラー画像データをカラーハードコピー装置に出力する場合の様に画像の色再現領域が異なる装置間で画像のインターフェースを行う際に、色空間変換や、ハードコピー装置のインクの不要吸収を補正するためのマスキング処理等を行っていた。しかしながら、それぞれの装置では、その装置が扱える色空間再現領域に対して、その装置の画像データのビット数のダイナミックレンジ（８ｂｉｔならば２５５）をいっぱいに使えるような設定がなされている。
　【０００３】
　【発明が解決しようとしている課題】
　従って、従来では各装置が全く異なる色再現領域を持っていると、画像のインタフェースが不可能であったり、無理やり自装置の画像のビット数（例えば８ｂｉｔ）に、おき換えて出力するしかなかった。無理やり置き換えるにも、例えば色再現領域の違いからマスキングの結果が８ｂｉｔに収まらない場合にはデータをカットして“２５５以上は２５５に”、“０以下は０に”というような整合のとり方しか行われず、色空間上でどのようにデータが変換されたかを知る事も、制御する事もできない状態であった。
　【０００４】
　本発明はかかる点に鑑みて良好に画像の再現範囲に適合した良好な変換を行うことが出来る画像処理方法及び装置を提供することを目的とする。
　【０００５】
　【課題を解決するための手段】
　本発明は、カラーデータを画像処理デバイスの色再現範囲内に変換する画像処理方法であって、前記カラーデータの色相における前記画像処理デバイスの色再現範囲に応じた非線形変換であり、彩度が大きいほうが圧縮率が大きい非線形変換であり、色再現範囲が小さい装置側の彩度の外縁までの距離と色再現範囲が広い装置側の彩度の外縁までの距離との比が小さい程非線性の度合いがきつくなり、前記カラーデータの明度に応じて非線形性の度合いが異なる非線形変換を用いて、前記カラーデータの彩度を変換することにより前記カラーデータを前記画像処理デバイスの色再現範囲内に変換することを特徴とする。
　【０００６】
　【実施例】
　本発明に係る画像処理方法を実現する原理について説明する。カラーハードコピーに用いられるインクの色再現範囲はスキャナによって取り込まれた色データやコンピュータグラフィックによって作成された色データ表現領域に比べて狭いため（図１２に示す）、プリンタの色再現範囲外のデータは再現可能な色に圧縮（マッピング）しなければならない。ここで図１２は均等色空間であるＣＩＥ１９７６Ｌ＊ａ＊ｂ＊空間のＬ＊＝５０ａ＊ｂ＊色度図ＣＲＴの色再現範囲（実線）とプリンタの色再現範囲（点線）を示した図である。
　【０００７】
　マッピングを行うためにはプリンタ等の出力装置の色再現範囲及びＣＲＴ等の色データの色再現範囲を求める必要がある。まずプリンタの色再現範囲を求める方法を説明する。プリンタはＣｙａｎ，Ｍａｇｅｎｔａ，Ｙｅｌｌｏｗ，Ｂｌｂモ求ｉ以下Ｃ，Ｍ，Ｙ，Ｂｋと記す）の４色のインクを用いすべての色を表現するが、ここでは濃度パターン法によって階調表現を行なう場合を例に説明する。濃度パターン法とは、１画素を複数の要素からなる画素マトリクスによって構成することにより階調表現を行なう方法で、閾値マトリクスとＣ，Ｍ，Ｙのデータを比較して、閾値を越える画素マトリクスの要素を１（すなわち、インクを置く）とするものである。画素マトリクスは、
（１）Ｃ，Ｍ，Ｙすべての減法混色（Ｂｋ′）となる要素
（２）Ｃ，Ｍ，Ｙの中の２色の組み合わせによる減法混色（Ｒ，Ｇ，Ｂ）となる要素
（３）Ｃ，Ｍ，Ｙのどれか１色となる要素
（４）インクのない要素（Ｗｈｉｔｅ）
の４種類の要素の組み合わせとなる。（１）のＢｋ′を黒インクのＢｋによって置き換える下色徐去を行ない、閾値マトリクスをＣ，Ｍ，Ｙに対して同一のものとすると、上記（１）〜（４）の要素は、
Ｂｋ＝ｍｉｎ（Ｃ，Ｍ，Ｙ）
Ｍｉｘ＝ｍｉｎ（Ｃ１，Ｃ２）
Ｐ＝ｍａｘ（Ｃ，Ｍ，Ｙ）−Ｂｋ−Ｍｉｘ
Ｗ＝Ｓ−Ｂｋ−Ｍｉｘ−Ｐ
となる。
　【０００８】
　ここで、Ｍｉｘ：Ｒ，Ｇ，Ｂの要素数
Ｃ１，Ｃ２：Ｃ−Ｂｋ，Ｍ−Ｂｋ，Ｙ−Ｂｋのうち０でないもの
Ｐ：Ｃ，Ｍ，Ｙの要素数
Ｓ：マトリクスの全要素数
である。
　【０００９】
　各画素のすべての色は上記の４要素、計８色の加法混色となる。この８色の表色値であるＸＹＺ値は、各色の面積率をそれぞれＳｗ，Ｓｃ，Ｓｍ，Ｓｙ，Ｓｒ，Ｓｇ，Ｓｂ，Ｓｂｋとすると以下の（１）式により求められる。
　【００１０】
　【外２】
　【００１１】
　ここで、Ｘｃｌ，Ｙｃｌ，Ｚｃｌ（ｃｌ＝ｗ，ｃ，ｍ，ｙ，ｒ，ｇ，ｂ，ｂｋ）は、各インク色のＸＹＺ空間における座標値である。
　【００１２】
　このようにしてＣ，Ｍ，Ｙ，Ｂｋインクのあらゆる組合わせにより表現できる色のＸＹＺ表色値を求めることができるので、この結果から、（２）式により均等色空間であるＣＩＥ１９７６Ｌ＊ａ＊ｂ＊空間へ変換することができ、プリンタの色再現範囲を算出できる。
　【００１３】
　【外３】
　【００１４】
　ここでＸ０，Ｙ０，Ｚ０は標準光源のＸ，Ｙ，Ｚである。
　【００１５】
　次にＣＲＴの色再現範囲の算出方法を説明する。ＣＲＴはＲ，Ｇ，Ｂの３色による加法混色により、色を再現するが、この時のＲ，Ｇ，ＢをＣＲＴの陰極に印加される電圧に比例するデータとすると、画素のＸＹＺ表色値は（３）式により求めることができる。
　【００１６】
　【外４】
　【００１７】
　ここで、ｇｍａ＝２．２（ＣＲＴのガンマ値）またＸｉＹｉＺｉ（ｉ＝ｒ，ｇ，ｂ）はＲ，Ｇ，ＢのＸＹＺ空間における座標値である。
　【００１８】
　これもプリンタの場合と同様（２）式を用い、ＣＩＥ１９７６Ｌ＊ａ＊ｂ＊空間に変換することで、ＣＲＴの色再現範囲を算出することができる。
　【００１９】
　以上の方法により、プリンタ、ＣＲＴ各々の色再現範囲を求めることができるので、次にマッピングの方法について説明する。
　【００２０】
　図１３は図１２の上にＤＳ，ＤＩ，ＤＤ，ＤＮ及びＳ直線を示した図である。まず、マッピングに用いるこれらの４種のパラメータを説明する。
　【００２１】
ＤＳ：Ｓ直線上で、最も彩度の高い座標点と中心との距離（色差）
ＤＩ：Ｓ直線上で、インクによって表わせる領域内の最も彩度の高い座標点と中心との距離（色差）
ＤＤ：入力信号ＲＧＢのデータより計算によって求めた座標点と中心との距離（色差）
ＤＮ：圧縮（マッピング）を施した座標点と中心との距離（色差）
　【００２２】
　これら４種のパラメータを用いることで、本発明に係る、色の圧縮（マッピング）を実現することができる。以下に５種のマッピング方法について説明する。
　【００２３】
　１）プリンタにより再現可能な色はそのまま出力し、再現不可能な色は（４）式に示すようＬ＊ａ＊ｂ＊空間における色差が最小となるような再現可能色にマッピングする。この方法は従来から用いられている方法である。
　【００２４】
　ｄＥ＝（ｄＬ＊２＋ｄａ＊２＋ｄｂ＊２）１／２…（４）
　【００２５】
　２）プリンタにより再現可能な色はそのまま出力し、再現不可能な色は（５）式に示すよう、に色データの明るさ、色相は不変のまま彩度のみを圧縮し、再現可能範囲の外縁部にマッピングする。
　【００２６】
　ＤＮ＝ＤＤ（ＤＤ≦ＤＩのとき）
　ＤＮ＝ＤＩ（ＤＤ＞ＤＩのとき）…（５）
　【００２７】
　３）プリンタにより再現可能な色、再現不可能な色にかかわらず（６）式に示すように色データの彩度のみを線形的に、再現可能範囲内にマッピングする。
　【００２８】
　ＤＮ＝ＤＤ×ＤＩ／ＤＳ…（６）
　４）プリンタにより再現可能な色、再現不可能な色にかかわらず（７）式に示すように色データの彩度のみを指数関数的に非線形に圧縮する。この方法は、中心に近い距離にある色データほど圧縮率を低くし、中心から遠い距離にある色データほど圧縮率を大きくするようなマッピング方法である。
　【００２９】
　ＤＮ＝ＤＤ｛１−（１−ＤＩ／ＤＳ）ＤＳ／ＤＤ｝…（７）
　【００３０】
　５）プリンタの色再現可能範囲の特定の割合まで、例えば中心から８０％の距離までは、そのまま出力し、それ以上の距離にある色データ（再現不可能な色も含む）を（８）式に示すように色データの彩度のみを線形的に再現可能範囲内の中心から８０％〜１００％の距離にマッピングする。
　【００３１】
　ＤＮ＝ＤＤ（ＤＤ≦Ｄ８のとき）
　ＤＮ＝｛（ＤＤ−Ｄ８）×（ＤＩ−Ｄ８）／（ＤＳ−Ｄ８）｝＋Ｄ８（ＤＤ＞Ｄ８のとき）…（８）
　ここでＤ８＝０．８×ＤＩである。
　【００３２】
　上記に説明した５種類のマッピング方法のうち２）〜５）の４種類についてグラク化したものを図１４に示す。ここで、横軸はＤＤをＤＳにより正規化し、縦軸はＤＮをＤＩにより正規化したものをプロットしてある。
　【００３３】
　以上説明したマッピング方法により、プリンタの色再現範囲外の色データであっても、色再現範囲内に圧縮することができる。
　【００３４】
　以上の原理に従って色空間圧縮を具体的に実現する本発明の装置の実施例の構成について以下に説明する。
　【００３５】
　図２は色空間をＬ＊ａ＊ｂ＊座標系で表わした場合のものである。点Ｆを含む閉曲線は、ＣＲＴが再現・表示できる全色空間の外縁を示す。点Ｅを含む閉曲線はハードコピー装置が色再現可能な範囲の色空間の外縁が示されている。また、この図ではＬ＊は一定（Ｌ＝ｃｏｎｓｔ．）であって、Ｌ＊の値毎に同様なＣＲＴ、ハードコピー装置の色再現領域を示す図が存在する。ただし、Ｌ＊の値を０．１きざみにするか１０きざみにするか等については特にここでは限定しない。本実施例においては図２はＬ＊ａ＊ｂ＊色空間であるが、Ｙ，Ｉ，Ｑ又はＬ＊ｕ＊ｖ＊等の均等知覚色空間であっても何ら問題は生じず、Ｌ＊ａ＊ｂ＊色空間に限定するものではない。
　【００３６】
　本実施例では、Ｆを含む閉曲線内、即ちＣＲＴの色再現領域を点Ｅを含む閉曲線内、即ちハードコピー装置の色再現領域に色空間圧縮する部分について詳細に記述する。
　【００３７】
　以下にはハードコピー装置の色再現領域の内図２のＤＩのＭ％の距離まではそのまま色再現し、（例Ｍ＝８０）それ以上は線形的に圧縮する。またＭ％の距離をＤＭとする例を示す。
　【００３８】
　図２のようにＣＲＴ上の色のａ＊ｂ＊色度点から原点までの距離をＤＳとし、原点よりハードコピー装置の色再現領域の外縁までの距離をＤＩとし、色空間圧縮前のａ＊ｂ＊の座標位置までの距離をＤＤとし、色空間圧縮後の色座標をＤＮとする。又、ＤＮ，ＤＩ，ＤＤ，ＤＳ，ＤＭは同一線上に存在する。従って、ａ＊ｂ＊座標の原点からａ＊軸を０°の角度とすると、０°〜３６０°までの連続する全ての角度θについてＤＮθ，ＤＩθ，ＤＤθ，ＤＳθ，ＤＭθなる組合せが存在するわけであるが、実用上θは０．１°きざみや１°きざみ等に離散化して処理する。このような前提で第１の実施例としては、以下の理論式により色空間圧縮を行う。
　【００３９】
　ＤＮ＝ＤＤ（ＤＤ＜＝ＤＭ）
　ＤＮ＝（ＤＤ−ＤＭ）×（ＤＩ−ＤＭ）／（ＤＳ−ＤＭ）＋ＤＭ
　（ＤＤ＞ＤＭ）
　【００４０】
　【外５】
　【００４１】
　このような色空間圧縮はＬ＝一定条件でしかも原点から伸びる直線上の上で圧縮が行われるために色相を保存しながら彩度の圧縮が行われる。かかる切断線により切断された面を図３に示す。
　【００４２】
　図３に示すように切断線上の線分ＤＦ上の各点はＤＥ上に線形に圧縮され、ＣＤ上の各点はそのままの値が保存され圧縮されない。
　【００４３】
　図４はＣＲＴの色再現範囲の各色成分を８ｂｉｔ（０〜２５５）の範囲をＳ１に示し、これを前述の条件で色圧縮した時の各色成分の取り得る値の範囲をＳ２に示している。Ｓ３はプリンタにおける色再現範囲可能範囲である８ｂｉｔに正規化する様子を示したもので、最終的にはＤｉはＤｆへＦｉはＥｆに変換することになる。
　【００４４】
　図１は以上説明した色空間圧縮を実現するためのハードウェア実施例である。
　【００４５】
　１は色変換部でＣＲＴにおけるＲ，Ｇ，Ｂより、一旦、Ｘ，Ｙ，Ｚ表色系に以下の色で変換される。
　【００４６】
　【外６】
ｇｍａ：ＣＲＴのガンマ値
Ｒ，Ｇ，ＢＣＲＴの印加電圧値（０〜１）
　【００４７】
　次にＬ＊，ａ＊，ｂ＊に変換された後に０〜２５５（８ｂｉｔ）に正規化される。これが点ＤＤの座標値となる。ここではＬ，ｕ，ｖ等の他の均等色空間を使う事も可能である。Ｌ，ａ，ｂに変換されたデータは角度計算部２に入力され、ａ＊，ｂ＊座標上で、その色データがａ軸より何度回転したかを示す角度θが求められる。ａ＊ｂ＊座標値をＡ，Ｂとすれば
　【００４８】
　【外７】
よりθを求める事が可能である。
　【００４９】
　ｒ計算部３に入力されたＬａｂでは
　【００５０】
　【外８】
が計算され原点からのＤＤまでの距離ｒが求められ、直方座標系における座標（Ａ，Ｂ）は極座標にける（ｒｓｉｎθ，ｒｃｏｓθ）となる。
　【００５１】
　角度計算部２の出力θはＤテーブル４、積算係数ａテーブル５、積算係数ｂテーブル６に入力される。
　【００５２】
　図３に示すＣＲＴの再現色空間の値Ｆｉ，Ｅｉ，Ｄｉは角度θ（色相）により異なる。尚ここでＤ，Ｅ，Ｆは夫々色ずれしない再現範囲、ハードコピー装置の色再現範囲の外縁の外縁、ＣＲＴ色再現領域の外縁の値である。又、カラーハードコピー装置の色再現範囲Ｅｆ，Ｄｆも角度θ角に異なる。角度毎にＣＲＴ、カラーハードコピー装置の色再現範囲等から決まるＤ，Ｅ，Ｆの点と原点との距離ｒを示したものが、図５のＤｉ，Ｅｉ，Ｆｉである。又、この表はＬ＊の値ごとに別のものが用意されている。全てのＬの中でＦ０〜Ｆ３５９の内、最大のものが８ｂｉｔ２５５となる。角度θのきざみ幅も１°と制限するものではなく、こまかくても、荒くても良いし、均等なきざみ幅でなくても良い。
　【００５３】
　本実施例では、各角度に対し、カラーハードコピー装置に与える量子化データを求める事にあり、図３におけるＤｆ，Ｅｆを原理で説明したようにカラーハードコピー装置の色再現特性を求めた後で決定し、ｂテーブルに各角度θに対するＤｆ／Ｄｉが書き込まれている。又ａテーブルには各角度θに対する（Ｅｆ−Ｄｆ）／（Ｆｉ／Ｄｉ）の値が書き込まれている。
　【００５４】
　ｒ計算部３の出力ｒは比較器８に入力されると共に減算部７においてｒ２＝ｒ−Ｄθｉαの減算が行われる。これは原理ののＤＤ−ＤＭに相当する
　【００５５】
　【外９】
　【００５６】
　ＤθｉはＤテーブル４より出力されるデータである。このｒ２は乘算器９で積係数ａテーブルの出力と乘算される。又図３より積係数ａテーブルの（Ｅθｆ−Ｄθｆ）／（Ｆθｉ−Ｄθｉ）は原理の（ＤＩ−ＤＭ）／（ＤＳ−ＤＭ）のα倍に相当する（α（ＤＩ−ＤＭ）＝Ｅθｆ−Ｄθｆ）。乘算器９の出力は加算器１１で乘算器１７の出力と加算される。乘算器１７ではＤテーブル４の出力Ｄθｉと積係数ｂテーブル６のＤθｆ／Ｄθｉ＝αが入力され結果としてＥθｆ（原理のＤＭのα倍）が得られるので加算器１１の出力は色座標ＤＤ（ｒ，θ）の色空間圧縮後のＤＮ（ｒ′，θ）である。ただし加算器１１の出力は
ｒ′＝α｛（ＤＤ−ＤＭ）×（ＤＩ−ＤＭ）／（ＤＳ−ＤＭ）＋ＤＭ｝
である。ただしｒが（ＤＤが）ｒ＞Ｄｉ（ＤＤ＞ＤＭに相当）の場合である。一方、積係数ｂテーブル６の出力は乘算器１０に与えられて、ここでｒ（ＤＤ）と乘算されて、その結果Ｄθｉ≧ｒ（ＤＭ≧ＤＤ）の場合の色空間圧縮後の画像データのｒが求められる。これはαＤＤに相当する。
　【００５７】
　これらのｒ′，ｒ″はセレクタ１２に入力されてどちらか一方が選択されてｒ３が出力される。ｒ計算部３の出力ｒは比較器に入力され、ここでＤθｉ≧ｒ（ＤＭ≧ＤＤ）か否か比較され、比較結果がセレクタの制御入力として与えられＤθｉ≧ｒ（ＤＭ≧ＤＤ）の時ｒ３＝ｒ″を選択し、それ以外ではｒ３＝ｒ′を選択するように制御する。このようにして得られた色空間圧縮後のデータｒ３と角度計算部２の出力θは合成部１３で極座標（ｒ３，θ）が求まり、これよりａ＊＝ｒ３・ｓｉｎθｂ＊＝ｒ３・ｃｏｓθ及び色変換部よりのＬ＊データを受ける。このデータが逆色変換部１５によりＬ＊，ａ＊，ｂ＊からハードコピー装置のＣ，Ｍ，Ｙ，ＢＫに変換される。
　【００５８】
　逆色変換部１５では原理の説明であったように色差ｄＥが最小となるようなＬＵＴで実現できる。
　【００５９】
　又、Ｌ＊の値よりａ＊ｂ＊空間での色再現領域が異なるので４，５，６のテーブルを複数持って切換える事を行っている。
　【００６０】
　実際にはＬ＊の全てに対し無数のテーブルは持てないので、きざみ幅を設定して切捨て等の処理で得たＬ＊でテーブル切換えを行うが、Ｌ＊よりいくつかのテーブルを参照して補間してａテーブルｂテーブルの値を作り直しても良い。
　【００６１】
　［他の実施例］
　図６は、本発明の他の実施例における色空間圧縮を示すもので、カラーハードコピー装置の色再現範囲の限界点Ｅを含む閉曲線内はそのまま再現し、それ以外の色空間に関しては限界点Ｅを含む閉曲線上に変換するものである。
　【００６２】
　これは、ＤＮ＝ＤＤ（ＤＤ≦ＤＩ）、ＤＮ＝ＤＩ（ＤＤ＞ＤＩ）という条件になる。尚、この変換も彩度のみの圧縮となる。
　【００６３】
　図１０は第１の実施例の図３に相当するもので、原点からの距離ｒ（＝ＤＤ）が０≦ｒ≦Ｅｉまでが線形的に０〜Ｅｆに変換され（ただしＥｆ＝αＤＩで最高８ｂｉｔ２５５の値をとり得る）Ｅｉ＜ｒ＜Ｅｆまでのｒを有する色は全てＥｆに変換される。図８はこの色空間圧縮を実現するハードウェア実施例で第１実施例と同じ番号は同機能なので説明は省略する。第２実施例ではＤテーブル４のかわりにＥテーブル４〜２が使用される。即ちＥテーブル４−２は各角度におけるＥθｉ（＝ＤＩ）が使用され図５に示してある。
　【００６４】
　比較器８でＥθｉ＜ｒ（ＤＩ＜ＤＤ）ならばセレクタ１２よりＥテーブル４−２の出力ｒ５＝Ｅθｉ（＝ＤＩ）が選択され合成部１２に出力が与えられる。（ＤＮ＝ＤＩとなる）。
　【００６５】
　又、角度計算部２の出力θは積係数テーブルＣに与えられ、Ｌ及びθにより積係数が出力される。積係数はＬ＊毎にテーブルを持つが各角度θに対しＥθｆ／Ｅθｉなるテーブルを持つ。（Ｅθｆ／Ｅθｉ＝α）。
　【００６６】
　従って、乘算器１０では画素データの色から求まるｒ（ＤＤ）に対しｒ６＝ｒ×Ｅθｆ／Ｅθｉ（＝ＤＤ×α）なる演算を施して色空間圧縮後のデータＤＮ＝αＤＤが得られる。従ってＥθｉ≧ｒ（ＤＩ≧ＤＤ）の場合に比較器８の結果がセレクタ１２を制御して乘算器１０の出力ｒ６をｒ３＝ｒ６として出力する。
　【００６７】
　又、結果としてα＝一定となるαは量子化ビット数８ｂｉｔの０〜２５５のダイナミックレンジいっぱいを有効活用するための乘算係数である。
　【００６８】
　図７は本発明の他の実施例における色空間圧縮を示すもので、ＣＲＴ色再現領域の外縁Ｆを含む閉曲線内の色空間をカラーハードコピー装置の色再現領域最外縁Ｅから成る閉曲線内に線形に圧縮するものでＤＮ＝ＤＤ×ＤＩ／ＤＳなる彩度の線形圧縮である。
　【００６９】
　図９はこの色空間圧縮を実現するためのハードウェア実施例である。ｒ計算部３からの出力は乘算器２１で乘算されて合成部に色空間圧縮後のデータが与えられる。従ってこの乘算器２１で乗ぜられる圧縮比は積係数ｄテーブルより供給される。ｄテーブルの内容は図１０で示すところのＥθｆ，Ｅθｉを使うとＥθｆ／Ｅθｉとなり、これは原理のＤＩ／ＤＳのα倍と等しい。
　【００７０】
　ところでＥθｆ，Ｆθｉは全Ｌ＊に対する同様のテーブル全てを通してその最高値が８ｂｉｔ２５５になるように正規化されているわけで図１０に示すように常にＥθｆやＦθｉが２５５ということはあり得ない。図３についても同様のことが言える。ｄテーブルはＬ＊毎に持っていてＬ＊情報と角度θの情報（色相情報）により、１つのテーブル内容が読み出されて決定される。
　【００７１】
　ところで、本実施例において色空間圧縮する部分は全て乘算器を用いて、色空間の中心位置（ａ＊、ｂ＊座標の原点）からの距離ｒを（ｒは彩度に相当）を線形的に変換する圧縮を行ったが、特にこの方式にとらわれずに原点からの距離ｒ（彩度）に応じて色空間圧縮の度合が異なる（非線形変換）ようにしても構わないし、又、角度θ（色相）によりその圧縮の程度や非線形性の度合を異ならしめても良い。
　【００７２】
　さらにＬ＊成分により圧縮方法や非線形性の度合いを異ならしめても良い事は容易に類推できる。
　【００７３】
　以下にｒ（彩度又はＤＤ）を指数関数を用いて非線形に圧縮し、中心からの距離ｒが大きい程圧縮率を大きくする例について説明する。
　【００７４】
　ＤＮ＝ＤＤ（１−（１−ＤＩ／ＤＳ）ＤＳ／ＤＤ）
ここでＤＤはｒでありＤＩ，ＤＳはＥθｉ，Ｆθｉに相当する。
　【００７５】
　このＦθｉ，Ｅθｉは図５に示すＦテーブル及びＥテーブルであり、各角度におけるＦｉ，ＥｉがＦθｉ，Ｅθｉというデータとして書き込まれている。そしてこのテーブルはＬ＊の各値ごとに用意されている。
　【００７６】
　このような前提で図１１は色空間圧縮を実現するハードウェア実現例である。基本的には図９に示す実施例とほぼ同じ動作をする。関数演算部３１では
　【００７７】
　【外１０】
　ｒ３＝α×ｒ（１−（１−Ｅθｉ／Ｆθｉ）Ｆθｉ／ｒ）
なる演算を行う。
　【００７８】
　Ｅテーブル４−２にはＥθｉ，Ｆテーブル４−３にはＦθｉが書き込まれているので、この各テーブルにはＬ＊角度θが与えらえ、Ｌ＊及び色相に応じたＥθｉ，Ｆθｉが関数演算部３１に与えられる。関数演算部３１には、この他にｒ及びαが与えられ前述の関数演算が行われる。
　【００７９】
　αは関数演算部３１の出力が、Ｌ＊，θ，ｒの組合せの全てに対し最大値が８ｂｉｔのフルダイナミックレンジの２５５となるように設定されている。
　【００８０】
　従って関数演算部３１からは
　ＤＮ＝α×ＤＤ（１−（１−ＤＩ／ＤＳ）ＤＳ／ＤＤ）
が得られ、それに基づき合成部１３，色算出部１４，逆色変換部１５によりカラーハードコピー装置に与えるＣ，Ｍ，Ｙ，Ｂｋに変換される。
　【００８１】
　本発明の実施例ではカラーハードコピー装置に与えるデータ形色はＹ，Ｍ，Ｃ，Ｂｋ（黒）であるが、カラーハードコピー装置の画像データインタフェース形式がＲ，Ｇ，Ｂであっても構わない事は言うまでもない。又、圧縮前の画像のデータもＣＲＴにおけるものではなく、全色空間領域を圧縮しても良い事は容易に推察できる。
　【００８２】
　又、本実施例においては画像処理デバイスとして、画像入力手段としてのスキャナやテレビカメラ、画像出力手段としてＣＲＴやカラープリンタが挙げられるが、本発明においてはかかる画像処理デバイスに限るものではない。
本実施例はカラー画像データの色情報を均等知覚色空間に変換する手段を設け、彩度，色相から成る色座標系を得て、その色座標系で色相一定の色群が原点からの半直線上にあり、しかも彩度が原点からの距離に比例する性質を利用して、実質的に彩度のみを線形又は非線形に色圧縮したものである。
　【００８３】
　従って人間が敏感な感覚を持つ、明度，色相には一切影響を与えず、視感的に色空間圧縮による画質劣化の度合いを小さくする作用がある。
　【００８４】
　したがって本実施例によれば、例えばカラーハードコピー装置等の色再現範囲内にＣＲＴの色再現領域を圧縮して、マッピングすることが可能である。又、色空間圧縮の際に、明度，情報Ｌ＊や色相成分θを保存しながら彩度のみを圧縮する事により、人間の目の感度や脳における認識能力において敏感な情報の保存が可能で、比較的、画質劣化として感じにくい彩度のみを圧縮して、より人間に気づきにくい色空間圧縮が可能となった。
　【００８５】
　しかも本実施例によれば、彩度の低い部分から中間的な彩度までは彩度を保存しながら、彩度の高いところでも彩度のつぶれをおこさずに、彩度変化の自然な連続性を保つ事が可能である。
　【００８６】
　【発明の効果】
　以上説明した様に本発明に依れば好ましい画質を保ちつつ良好に画像の再現範囲に適合した良好な変換を行う事が出来る。
【図面の簡単な説明】
　【図１】
　本発明の第１の実施例の構成を示すブロック図。
　【図２】
　色空間範囲を示す図。
　【図３】
　色空間変換方法を示す図。
　【図４】
　色空間変換方法を示す図。
　【図５】
　各種テーブル内容を示す図。
　【図６】
　色空間変換方法を示す図。
　【図７】
　色空間変換方法を示す図。
　【図８】
　第２の実施例の構成を示すブロック図。
　【図９】
　第３の実施例の構成を示すブロック図。
　【図１０】
　色空間変換方法を示す図。
　【図１１】
　第４の実施例の構成を示すブロック図。
　【図１２】
　ＣＲＴプリンタの色再現範囲を示す図。
　【図１３】
　ＣＲＴプリンタの色再現範囲を示す図。
　【図１４】
　マッピングによる彩度の圧縮特性を示す図である。
　【符号の説明】
　１　色変換部
　２　角度計算部
　３　ｒ計算部
　４　Ｄテーブル
　５　積係数ａテーブル
　６　積係数ｂテーブル
　７　減算部
　８　比較器
　９，１０　乘算器
　１１　加算器
　１２　セレクタ
　１３　合成部
　１４　色算出部
　１５　逆色変換部
　１７　乘算器
　４−２　Ｅテ−ブル
　６−２　積係数Ｃテーブル
　６−３　積係数ｄテーブル
　２１　乘算器
　４−３　Ｆテーブル
　３１　関数演算部